(57)【特許請求の範囲】
【請求項１】
ディスクフィルター（９）のためのディスク形状のフィルター区分（１）の製造方法であって、前記フィルター区分（１）が、フィルターフレーム（２）とフィルター材（３）とを具備し、前記フィルターフレーム（２）が、前記ディスクフィルター（９）のフィルター支持部（８）のために構成される製造方法において、
前記フィルターフレーム（２）の下半分（４ａ）及び上半分（４ｂ）における射出成形であって、前記フィルター材（３）が、伸長され、射出成形の間に前記フィルターフレーム（２）の下半分（４ａ）及び上半分（４ｂ）において伸長された状態で一体化され、前記フィルター材（３）は、射出成形後に前記フィルター区分（１）が冷却されるときに収縮する加熱された布を用いることによって伸長され、前記フィルター材（３）が、射出成形後に材料の残留張力を呈する射出成形を特徴とする製造方法。
【請求項２】
前記フィルターフレーム（２）の前記下半分（４ａ）が、第１の工程において射出成形され、次いで前記フィルター材（３）が、前記下半分（４ａ）に対して配置されて伸長され、前記フィルターフレーム（２）の前記上半分（４ｂ）が、第２の工程において射出成形され、該第２の工程において前記フィルター材（３）が、前記フィルターフレーム（２）の前記下半分（４ａ）及び前記上半分（４ｂ）において一体化されることを特徴とする請求項１に記載の製造方法。
【請求項３】
前記フィルターフレーム（２）が、略細長い形状を有し、少なくとも１つの補強梁（５）が前記フィルターフレームの長手側部（６、７）間に延在することを特徴とする請求項１又は２に記載の製造方法。
【請求項４】
前記補強梁（５）が、射出成形によってフィルター布（３）において一体化されたことを特徴とする請求項３に記載の製造方法。
【請求項５】
フィルターフレーム（２）及びフィルター材（３）を有するディスクフィルター（９）のためのフィルター区分（１）であって、前記フィルターフレーム（２）が、前記ディスクフィルター（９）のフィルター支持部（８）のために構成されるフィルター区分（１）において、
射出成形された前記フィルターフレーム（２）であって、当該フィルターフレーム（２）の下半分（４ａ）と当該フィルターフレーム（２）の上半分（４ｂ）との間において伸長された状態で一体化された前記フィルター材（３）を有し、前記フィルター材（３）は、射出成形によって加熱された状態から冷却されるときに収縮して伸張した布であり、前記フィルター材（３）が材料の残留張力を呈する、フィルターフレーム（２）を特徴とするフィルター区分（１）。
【請求項６】
前記フィルターフレーム（２）が略細長い形状を有し、少なくとも１つの補強梁（５）が、前記フィルターフレームの長手側部（６、７）間に延在することを特徴とする請求項５に記載のフィルター区分（１）。
【請求項７】
前記補強梁（５）が、射出成形によってフィルター布（３）において一体化されたことを特徴とする請求項６に記載のフィルター区分（１）。
【請求項８】
前記フィルターフレーム（２）がガラス繊維強化ポリプロピレンで構成されることを特徴とする請求項５から請求項７のいずれか１つに記載のフィルター区分（１）。
【請求項９】
前記フィルター材（３）がポリエステルを含むことを特徴とする請求項５から請求項８のいずれか１つに記載のフィルター区分（１）。
【発明の詳細な説明】
【技術分野】
【０００１】
本発明は、ディスクフィルターのためのディスク形状のフィルター区分を製造するための方法及び装置に関し、そのフィルター区分は、フィルターフレーム及びフィルター材を具備し、そのフィルターフレームは、ディスクフィルターのフィルター支持部のために構成される。
【背景技術】
【０００２】
ディスクフィルターのためのフィルターフレームは、欧州特許出願公開第１８７２８４３号明細書によって既に公知である。フィルターフレームは、鋳造アルミフレームと、接着によってそれに取り付けられたフィルター材と、から構成される。フィルター材は、金属製の布、繊維材又はプラスチック材料であってもよく、フレームに取り付けられ、フレームへの接着前において、布の周りに吊り下げられた重さによって予張力を付与される。ステンレス鋼のフィルターフレーム又は予張力を付与されたガラス繊維も従来から用いられてきており、且つ、既製の形状から構成され、フィルターフレームを形成するために共に結合される。
【発明の概要】
【発明が解決しようとする課題】
【０００３】
アルミ製のフィルターフレームは、既製の形状のフレームの構成と比較して多大な労働作業を減らしてきたが、布に予張力が付与されるときに大量のフィルター材が消費され、更に、フレームの機械加工及び布の接着に多くの時間がかかる、といった課題が残る。
【課題を解決するための手段】
【０００４】
本発明の目的は、フィルターフレーム内のフィルター材の設置を行うための少ない且つ短い労働作業による大量生産に適したフィルターフレームを製造することにある。
【０００５】
本発明に係る実施形態によれば、これらの目的及び他の目的は、ディスクフィルターのためのディスク形状のフィルター区分の製造方法によって実現され、そのフィルター区分は、フィルターフレームとフィルター材とを具備し、そのフィルターフレームが、ディスクフィルターのフィルター支持部のために構成され、フィルターフレームの下半分及び上半分における射出成形であって、下半分と上半分との間に配置されたフィルター材を有し、そのフィルター材が伸長され、射出成形の間に伸長された状態でフィルターフレームの下半分及び上半分において一体化され、フィルター材が、射出成形後に材料の残留張力を呈する射出成形を特徴とする製造方法によって実現される。従って、フィルターフレームは、所定の位置においてフィルター材と共に製造される。従って、後続の設置及び接着は、もはや必要ない。
【０００６】
好適には、フィルターフレームの下半分が、第１の工程において射出成形され、次いでフィルター材が、下半分に対して配置されて伸長され、フィルターフレームの上半分が、第２の工程において射出成形され、第２の工程においてフィルター材が、フィルターフレームの下半分及び上半分において一体化される。２工程の射出成形によって、フィルター区分の十分な品質が保証される。
【０００７】
好適には、射出成形後にフィルター材は、２Ｎ／ｃｍより大きな材料の残留張力を呈する。この材料内の残留張力は、水処理のためにディスクフィルターに付与し得る力に耐えるのに十分である。
【０００８】
好適な実施形態において、フィルターフレームは、略細長い形状を有し、少なくとも１つの補強梁がフィルターフレームの長手側部間に延在し、射出成形によってその補強梁は、フィルター布において一体化される。補強梁は、安定性を向上させ、フィルター区分における大きな荷重を許容する。
【０００９】
本発明は更に、フィルターフレーム及びフィルター材を有するディスクフィルターのためのフィルター区分であって、フィルターフレームが、ディスクフィルターのフィルター支持部のために構成されるフィルター区分において、射出成形されたフィルターフレームであって、そのフィルターフレームの下半分とそのフィルターフレームの上半分との間において伸長された状態で一体化されたフィルター材を有し、フィルター材が、射出成形後に材料の残留張力を呈するフィルターフレームを特徴とするフィルター区分に関する。伸長された状態でフィルター材を一体化することによって、荷重付与されたときにフィルター材の少ない膨張を呈する完成した製品が実現される。
【００１０】
好適には、フィルターフレームは、ガラス繊維強化ポリプロピレンから構成される。この材料は、射出成形に適しており、フィルターフレームの軽量化を可能とする。
【００１１】
好適には、フィルター材は、ポリエステルを含む。十分な強度を呈するポリエステルのフィルター布は、適したフィルター特性で製造されてもよく、フィルターフレームの材料における一体化が可能である。
【００１２】
本発明は、ここで例示によって本発明に係る好適な実施形態を示す添付の概略図を参照し、より詳細に説明される。
【図面の簡単な説明】
【００１３】
【図１ａ】本発明に係るディスクフィルターのためのフィルター区分を上面図で示す概略図である。
【図１ｂ】本発明に係るディスクフィルターのためのフィルター区分を側面図で示す概略図である。
【図２】図１に係る３つのフィルター区分を備えたディスク形状のフィルター要素の概略的斜視図である。
【発明を実施するための形態】
【００１４】
図１ａ及び図１ｂにおいて、ディスクフィルターのホルダー（図示せず）内に適合するように設計されたフィルターフレーム２を具備する、従来のディスクフィルター（図示せず）において使用するためのディスク形状のフィルター区分１又はプラスチックパネルが示されている。フィルターフレーム２は、概して細長い形状を有し、上下逆のコーン状の円錐台としてここで示されており、ディスクフィルターのフィルター要素（図示せず）の大部分に亘り径方向へと延在して向かっている。好適には、フィルターフレーム２は、ガラス繊維強化ポリプロピレン又は類似の特性を備える他のプラスチック材料から成り、フィルターフレーム２の下半分４ａとフィルターフレーム２の上半分４ｂとの間の平面に一体化されて配置された、伸長された状態のフィルター材３と共に射出成形される。フィルター材３は、ポリエステル布を有するが、当然のことながら、他のプラスチック材料又は金属で作られてもよい。フィルター材３の一体化は、射出成形の間、フィルターフレーム２のプラスチックが布を通りこれをフィルターフレーム２に固定することを示す一方で、同時に布がフィルターフレーム２を強化する。フィルター材３の伸長は、フィルターフレーム２を射出成形するために用いられる成形部のすぐ外側の布を固定し、次いで固定された布を伸長し、又は、射出成形後の加熱された布を用いてフィルター区分１が冷却されるときに収縮させるといった様々な方法で実現されてもよい。従って、射出成形後、フィルター材３は、材料の残留張力を呈し、２Ｎ／ｃｍより大きく、好適には４Ｎ／ｃｍより大きい。力が付与されたときにフィルターフレーム２が内方に膨張してはならないため、補強梁５が、フィルターフレームの長手側部６及び長手側部７との間で延在する。例えばディスクフィルターの水処理中に、空気洗浄のために用いられる類似のフィルターと比較して、より高い圧力を受けるため、こうしたフィルター材３の予張力は重要である。
【００１５】
補強梁５は、射出成形によってフィルター材３に一体化され、フィルター材３の両側に好適に延在する。フィルター材３の残留張力は、従来の接着された布と比較して、力が付与されたときの布の膨張を低減させる。補強梁５も布の膨張の低減に貢献する。低減された膨張によって疲労摩耗が低減されるため、布の長期の耐用年数を実現し、同時に、低減された膨張は、ディスクフィルターのより短い構成長さを実現するのに必要である。
【００１６】
図２に示されたように、フィルター区分１は、ディスクフィルター９のホルダー内に摺動されることを意図され、或いは、別の方法で、図２におけるディスクフィルター９のフィルター支持部８の側部のそれぞれに解放可能に取り付けられることを意図されている。図２において、３つのフィルター区分がフィルター支持部８に配置されて示されている。複数のディスク形状のフィルター区分１は、フィルター支持部８の各側部において略円筒のディスク形状のフィルター区分１１を形成するためにディスクフィルター９の中央円筒部１０の周りに配置されている。図２のディスク形状のフィルター要素１１は、フィルター区分１のための１４の位置を有するが、当然のことながら、位置の数はディスクフィルター９のサイズによって変更し得る。こうして清浄されるように意図された液体は、中央円筒部１０の開口部１２を通って流れ、フィルター支持部８の周りに配置された２つのフィルター要素１１を通り、次いで各フィルター区分１内のフィルター材３を通過するように出て、汚染物質が布で採取され得ることを可能とする。
【図１ａ】
0005908908.tif 000002
【図１ｂ】
0005908908.tif 000003
【図２】
0005908908.tif 000004